(57)【特許請求の範囲】
【請求項１】
筒状の栽培容器の上部に着脱可能に取り付けて使用する栽培容器用補助具であって、前記栽培容器の上部の内周に装着可能な筒状の連結部と、前記連結部の上方に一体的に形成された擂鉢状の集水部とを備えたことを特徴とする栽培容器用補助具。
【請求項２】
前記連結部の外周に、その軸方向に沿った導水溝を設けた請求項１記載の栽培容器用補助具。
【請求項３】
前記集水部と前記連結部との境界部に導水用の貫通孔を設けた請求項１または２記載の栽培容器用補助具。
【請求項４】
前記集水部に、植物の一部を着脱可能に係止する切欠部を設けた請求項１記載の栽培容器用補助具。
【発明の詳細な説明】
【０００１】
【発明の属する技術分野】
本発明は、果物や野菜などの苗の育成に用いられる筒状の栽培容器の上部に取り付けて使用する栽培容器用補助具に関する。
【０００２】
【従来の技術】
苺などの果物、茄子などの野菜の子苗を育成するため、従来より様々な種類の栽培装置が用いられているが、その一例として、図１０および図１１に示すようなものがある。図１０は従来の栽培装置を示す平面図であり、図１１は図１０におけるＸ−Ｘ線断面図である。これらの図に示す栽培装置９０においては、地面に立設された複数の支柱９１およびこれらの支柱９１に横架された水平支持部材９２によって地面より高い位置にテーブル状の支持パネル９３が配置され、この支持パネル９３を縦横に区画するとともに各区画の中央部分を下方へ凹ませて導水部９４が形成され、各導水部９４の中心に開設された支持孔９５にそれぞれ筒状の栽培容器９６が挿入されている。
【０００３】
それぞれの栽培容器９６に充填した培土９７で様々な種類の苗９８を育成することができる。各栽培容器９７は支持パネル９３によって地面より高い位置に保持されているため、栽培期間中におけるしゃがんだ姿勢での作業を大幅に削減することができ、栽培期間中の各種作業における肉体的負担を軽減することができる。また、支持パネル９３の上方から散水すれば、その水は擂鉢状に傾斜した導水部９４を伝わって各栽培容器９６内に流れ込むので、撒かれた水を無駄なく利用することができる。
【０００４】
【発明が解決しようとする課題】
図１０および図１１で示した従来の栽培装置９０の場合、栽培容器９７を直立状態に保持する手段として、支持孔９５および導水部９４を有する複雑な形状の支持パネル９３を使用しなければならないので、これらの資材の製作に多大な手間を要している。
【０００５】
また、上方から散水された水は導水部９４の上面に沿って流下し、栽培容器９６の上部開口９６ａから培土９７中へ浸透するが、散水量が多い場合、培土９７中に浸透しきれない水が栽培容器９６と支持孔９５との隙間から地面に落下するため、水の無駄となっている。
【０００６】
さらに、支持パネル９３が全面的に連続した形状であるため、栽培容器９６と支持孔９５との隙間からの落下量よりも散水量の方が過多である場合、導水部９４に溜まった水が溢れて、隣接する他の導水部９４に流れ込んで栽培容器９６内の培土９７に浸透することがあり、伝染性の苗の病気が蔓延する原因の一つとなっている。
【０００７】
本発明は、筒状の栽培容器の支持手段の簡略化を図り、散水の無駄を削減し、伝染性の病気の蔓延を防止することのできる栽培容器用補助具を提供することにある。
【０００８】
【課題を解決するための手段】
本発明の栽培容器用補助具は、筒状の栽培容器の上部に着脱可能に取り付けて使用する栽培容器用補助具であって、前記栽培容器の上部の内周に装着可能な筒状の連結部と、前記連結部の上方に一体的に形成された擂鉢状の集水部とを備えたことを特徴とする。
【０００９】
本発明の栽培容器用補助具（以下、補助具という）の連結部を筒状栽培容器の上部の開口から内部に挿入することで、補助具を栽培容器に取り付ければ、擂鉢状の集水部が、撒かれた水を栽培容器内に導く機能を発揮するので、図１０に示したような栽培容器の支持装置に擂鉢状の導水部などを設ける必要がなくなり、支持装置は栽培容器を直立姿勢に保つだけでよくなるので、支持装置の簡略化を図ることができる。また、補助具を取り付けた栽培容器の上方から撒かれた水は、補助具の集水部の上面に沿って流下しその殆どが栽培容器内へ導かれるので散水の無駄を削減することができ、集水部は栽培容器ごとに独立しているため、散水過多により集水部から溢れた水が隣接する栽培容器の補助具内に流れ込むこともなくなり、伝染性の病気の蔓延も防止することができる。
【００１０】
また、この補助具を栽培容器に取り付けることによって、当該栽培容器の上部開口が上方へ移動しその開口面積が広がったのと同じ状態となるため、培土充填作業などが容易となるだけでなく、培土充填量を増やすことができるので、根の総量が増大して健全な苗を育成することができ、苗を育成している単独の栽培容器に、いわゆる後付けでこの補助具を取り付ければ培土の追加充填が可能となるので、苗の移植時期を遅延させざるを得ないような事態が生じたときの苗の劣化を防止することができる。また、栽培容器単独の場合よりも集水面積が増大するので、撒かれた水が効率的に培土中へ導入されるようになる。さらに、育成した苗を栽培容器から取り出して定植する場合、補助具を掴んで培土とともに栽培容器から抜き取ることが可能となるため苗および根の損傷をなくすことができる。
【００１１】
ここで、補助具の連結部の外周に、その軸方向に沿った導水溝を設けることにより、補助具の連結部を栽培容器の上部に挿入した場合に、集水部の下面に沿って流下する水を導水溝から栽培容器内へ導き込むことが可能となるため、散水の無駄をさらに削減することができ、また栽培容器内へ流れ込んだ水が著しく過多である場合は導水溝を通して栽培容器外へ溢れ出させることもできるので、給水過多に起因する苗の根腐れ発生などの弊害を防止することができる。
【００１２】
また、前記集水部と連結部との境界部に導水用の貫通孔を設ければ、補助具を取り付けた栽培容器を支持装置としての保持パネルなどにセットした場合、保持パネル上面に沿って流下した水などが前記貫通孔を通過して栽培容器内へ流れ込むことが可能となるので、栽培容器内の培土全体にムラなく給水することができるようになる。
【００１３】
さらに前記集水部に、植物の一部を着脱可能に係止する切欠部を設ければ、この補助具を取り付けた栽培容器でたとえば苺の苗を栽培する場合、苺の苗から伸長したランナーをこの切欠部に係止することが可能となるため、ランナーが補助具の一部に接触してランナー焼けが生じたり、ランナーが風で飛ばされたりするのを防止することができる。
【００１４】
【発明の実施の形態】
図１は本発明の第１実施形態である栽培容器用の補助具を示す平面図、図２は図１におけるＡ−Ａ線断面図、図３は図１の補助具を取り付けた栽培容器の使用状態を示す一部切断側面図、図４は図１の補助具を取り付けた栽培容器を従来の支持パネルで支持した状態を示す縦断面図である。
【００１５】
本実施形態の栽培容器用の補助具１は、円筒形状の栽培容器２の上部に着脱可能に取り付けて使用するものであって、栽培容器２の上部開口２ａに挿入可能な円筒形状の連結部３と、連結部３の上方に一体的に形成された円形擂鉢状の集水部４とを備えている。連結部３は、これを栽培容器２の上部開口２ａに挿入したとき、連結部３の外周面が、栽培容器２の先細り形状の内周面にほぼ全面的に接触する形状に仕上げられている。
【００１６】
補助具１の連結部３を、栽培容器２の上部開口２ａに挿入することによって補助具１を栽培容器２に取り付け、栽培容器２および補助具１の内部に培土５を充填し、図３に示すように、地面６に立設された支柱７で水平保持された支持パネル８の支持孔９にそれぞれ栽培容器２を挿入し、その上部開口２ａの外周に形成された鍔状係止部２ｂを支持パネル８の上面に係合させることで栽培容器２を直立姿勢に保持すれば、各栽培容器２において従来と同様に苗１０の育成を行うことができる。
【００１７】
苗１０の栽培期間中、支持パネル８に保持された栽培容器２の上方から散水した場合、補助具１を構成する円形擂鉢状の集水部４が、撒かれた水を栽培容器２内に導くので、栽培容器２の支持装置である支持パネル８に擂鉢状の導水部などを設ける必要がなくなり、支持パネル８は栽培容器２を直立姿勢に保つだけでよくなるので、支持装置の簡略化を図ることができる。
【００１８】
また、補助具１を取り付けた栽培容器２の上方から撒かれた水は、補助具１の集水部４の上面に沿って流下しその殆どが栽培容器２内へ導かれるので散水の無駄を削減することができ、集水部４は栽培容器２ごとに独立しているため、散水過多により集水部４から溢れた水が、隣接する他の栽培容器２に取り付けられた補助具１内に流れ込むこともなく、伝染性の病気の蔓延を防止することもできる。
【００１９】
補助具１を栽培容器２の上部開口２ａに取り付けることによって、この上部開口２ａが上方へ移動しその開口面積が広がったのと同じ状態となるため、栽培容器２内への培土充填作業などが容易となるだけでなく、培土充填量を増やすことができるので、苗１０の根の総量が増大して生育状態が向上し、健全な苗１０を育成することができる。また、栽培容器２単独の場合よりも集水面積が増大するので、撒かれた水が効率的に培土５中へ導入されるようになる。さらに、育成した苗１０を栽培容器２から取り出して定植する場合、補助具１を掴んで培土５とともに栽培容器２から抜き取ることができるため苗１０およびその根などの損傷をなくすことができる。
【００２０】
また、連結部３と集水部４との境界部には、導水用の貫通孔１１が９０度間隔で複数個設けられているため、図３で示したように、補助具１を取り付けた栽培容器２を支持パネル８にセットした場合、支持パネル８上面に沿って流下した水は貫通孔１１を通過して栽培容器２内へ流れ込むこともできるので、栽培容器２内の培土５全体にムラなく給水することができる。
【００２１】
本実施形態では補助具１の連結部３を栽培容器２の上部開口２ａに挿入することによって両者を連結しているが、これに限定するものではないので、補助具１の連結部３の内径を栽培容器上部の外径と同等とすれば、栽培容器の上部を補助具１の連結部３内部に挿入することによって両者を連結することもできる。
【００２２】
また、栽培容器２の支持装置も支持パネル８に限定するものではないので、栽培容器２を直立姿勢に保つことができるものであれば支持パネル８以外のものを用いることが可能であり、例えば、図４に示すように、補助具１を取り付けた栽培容器２を図１０および図１１で示した従来の支持パネル９３の支持孔９５に挿入して使用することもできる。図４に示すような使い方を採用すれば、上方から撒かれた水は、培土５の表面から直接浸透する経路と、導水部９４に沿って流下し貫通孔１１を通過して培土５中へ浸透する経路と、導水部９４に沿って流下し栽培容器２と補助具１の連結部３との隙間Ｓを通過して培土５中へ浸透する経路の３経路によって培土５中へ供給されるので、培土５全体へ均一かつ迅速に給水することができる。
【００２３】
図１０および図１１で示した栽培装置の場合、上方から撒かれた水は培土９７の表面から浸透する経路に限定されるため、栽培容器９６の底面付近に充填された培土９７に水が到達するのに長時間を要するだけでなく、培土９７の充填状態の不均一などにより、培土９７中の水が浸透しやすい部分のみに導水路が自然形成され水の浸透領域にばらつきや偏りが生じたりしていたが、図４に示すような使い方を採用することにより、このような不都合を解消することができる。
【００２４】
なお補助具１は、栽培開始時、播種時から栽培容器２に取り付けておく使い方に限定するものではないので、単独の栽培容器２の培土５に播種された苗が一定の大きさに成長したとき、用補助具１を後付けで栽培容器２に取り付けて培土５を追加充填し、苗の育成を継続するような使い方をすることもできる。例えば、補助具１を取り付けていない単独の栽培容器２の培土５で育成している苗の定植時期が到来したにも関わらず、気象異常などの原因で栽培地に定植（移植）できないような事態が生じた場合、その時点で補助具１を栽培容器２に取り付けて培土を追加充填すれば、苗の成長に必要な培土量が確保されそのまま苗の育成を継続することができるので、定植時期の遅延による苗の劣化を防ぐことができる。特に、トマト苗のように茎に根源基を有する苗については、栽培容器２に取り付けられた補助具１内に培土を追加充填して茎部分を培土中に埋没させれば培土中の茎部分からの発根が促されるので、根総量が増加し、健全な苗を得ることができる。
【００２５】
次に図５および図６を参照して、本発明の第２実施形態である補助具２１について説明する。図５は用補助具２１の平面図、図６は図５におけるＢ−Ｂ線断面図である。
【００２６】
本実施形態の補助具２１は、第１実施形態の補助具１と同様、円筒形状の栽培容器２２の上面に着脱可能に取り付けて使用するものであって、栽培容器２２の上部開口２２ａに挿入可能な円筒形状の連結部２３と、連結部２３の上方に一体的に形成された平面視形状が略正方形をした擂鉢状の集水部２４とを備えている。連結部２３は、これを栽培容器２２の上部開口２２ａに挿入したとき、連結部２３の外周面が栽培容器２２の先細り形状の内周面にほぼ全面的に接触する形状にされている。
【００２７】
補助具２１の使い方は補助具１と同様であり、補助具２１の連結部２３を栽培容器２２の上部開口２２ａに挿入することによって両者を連結し、栽培容器２２および補助具２１内に培土を充填し、適切な支持手段で栽培容器２２を直立姿勢に保持すれば、各栽培容器２２において苗の育成を行うことができる。
【００２８】
補助具２１においては集水部２４の上縁付近に、植物の一部を着脱可能に係止する切欠部２０を１８０度間隔で２個設けているため、補助具２１を取り付けた栽培容器２２でたとえば苺を栽培した場合、苺の苗から伸長したランナーをこれらの切欠部２０に係止することが可能であり、ランナーが補助具２１の一部に接触してランナー焼けが生じたり、ランナーが風で飛ばされるのを防止することができる。
【００２９】
また、補助具２１においては、集水部４の平面視形状が略正方形であるため、補助具２１を取り付けた複数の栽培容器２２を縦横に配列する場合、複数の集水部４を平面視状態で縦横に隙間なく配列することが可能であり、これによって、上方から撒かれた水の殆ど全てを集水部４内へ導くことができるようになり、水の無駄を大幅に削減することができる。その他の部分の機能、効果については前述した補助具１と同様である。
【００３０】
次に図７〜図９を参照して、本発明の第３実施形態である補助具３１について説明する。図７は補助具３１の平面図、図８は補助具３１を栽培容器３２に取り付けた状態を示す縦断面図、図９は補助具３１を取り付けた栽培容器３２の使用状態を示す一部切欠側面図である。
【００３１】
本実施形態の補助具３１は、円筒形状の柔軟なポリエチレン製の栽培容器３２の上部に着脱可能に取り付けて使用するものであって、栽培容器３２の上部開口３２ａに挿入可能な円筒形状の連結部３３と、連結部３３の上方に一体的に形成された平面視形状が略正方形をした擂鉢状の集水部３４とを備え、集水部３４には、植物の一部を着脱可能に係止する切欠部３０が１８０度間隔で２個設けられている。
【００３２】
補助具３１の使い方も補助具１と同様であり、補助具３１の連結部３３を、栽培容器３２の上部開口３２ａに挿入することによって両者を連結し、栽培容器３２および補助具３１内に培土３５を充填し、図８に示すように、支持装置である栽培容器収容箱３６内に載置することによって栽培容器３２を直立姿勢に保持すれば、各栽培容器３２において苗３７の育成を行うことができる。
【００３３】
補助具３１においては、連結部３３を波形板で形成することにより、連結部３３の外周にその軸方向に沿った複数の導水溝３８を設けているため、集水部３４の下面３４ａに沿って流下する水を導水溝３８から栽培容器３２内へ導き込むことが可能であり、散水の無駄をさらに削減するできる。また、栽培容器３２内へ流れ込んだ水が著しく過多である場合は導水溝３８を通して栽培容器３２の外へ溢れ出させることもできるので、給水過多に起因する苗３７の根腐れ発生などの弊害を防止することができる。その他の部分の機能、効果については前述した補助具１，２１と同様である。
【００３４】
【発明の効果】
本発明により、以下に示す効果を奏する。
【００３５】
（１）筒状の栽培容器の上部に着脱可能に取り付けて使用する栽培容器用補助具として、栽培容器の上部の内周に装着可能な筒状の連結部と、この連結部の上方に一体的に形成された擂鉢状の集水部とを備えた構造とすることにより、栽培容器の支持装置の簡略化を図り、散水の無駄を削減し、伝染性の病気の蔓延も防止することができる。また、培土充填作業などが容易となり、培土充填量が増えることで根の総量が増大し健全な苗を育成することができ、移植時期の遅延による苗の劣化を防止することができ、育成した苗を培土とともに栽培容器から抜き取る際の苗や根の損傷をなくすことができる。
【００３６】
（２）補助具の連結部の外周に、その軸方向に沿った導水溝を設けることにより、散水の無駄をさらに削減することができ、過剰水は導水溝を通して溢れ出させることができるので、給水過多に起因する苗の根腐れ発生などの弊害を防止することができる。
【００３７】
（３）補助具の集水部と連結部との境界部に導水用の貫通孔を設けることにより、この貫通孔を通過して栽培容器内へ水を流れ込ませることが可能となるので、栽培容器内の培土全体にムラなく給水することができるようになる。
【００３８】
（４）補助具の集水部に、植物の一部を着脱可能に係止する切欠部を設けることにより、苺苗のランナーなどをこの切欠部に係止することが可能となるため、ランナーが補助具の一部に接触してランナー焼けが生じたり、ランナーが風で飛ばされたりするのを防止することができる。
【図面の簡単な説明】
【図１】  本発明の第１実施形態である栽培容器用補助具を示す平面図である。
【図２】  図１におけるＡ−Ａ線断面図である。
【図３】  図１の栽培容器用補助具を取り付けた栽培容器の使用状態を示す一部切断側面図である。
【図４】  図１の栽培容器用補助具を取り付けた栽培容器を従来の支持パネルで支持した状態を示す縦断面図である。
【図５】  本発明の第２実施形態である栽培容器用補助具の平面図である。
【図６】  図５におけるＢ−Ｂ線断面図である。
【図７】  本発明の第３実施形態である栽培容器用補助具の平面図である。
【図８】  図７の栽培容器用補助具を栽培容器に取り付けた状態を示す縦断面図である。
【図９】  図７の栽培用補助具を取り付けた栽培容器の使用状態を示す一部切欠側面図である。
【図１０】  従来の栽培装置を示す平面図である。
【図１１】  図１０におけるＸ−Ｘ線断面図である。
【符号の説明】
１，２１，３１  栽培容器用補助具
２，２２，３２  栽培容器
２ａ，３２ａ  上部開口
２ｂ  鍔状係止部
３，２３，３３  連結部
４，２４，３４  集水部
５，３５  培土
６  地面
７  支柱
８  支持パネル
９  支持孔
１０，３７  苗
１１  貫通孔
２０，３０  切欠部
３４  集水部の下面
３６  栽培容器収容箱
３８  通水溝
Ｓ  隙間
【図１】
0003689352.tif 000002
【図２】
0003689352.tif 000003
【図３】
0003689352.tif 000004
【図４】
0003689352.tif 000005
【図５】
0003689352.tif 000006
【図６】
0003689352.tif 000007
【図７】
0003689352.tif 000008
【図８】
0003689352.tif 000009
【図９】
0003689352.tif 000010
【図１０】
0003689352.tif 000011
【図１１】
0003689352.tif 000012